(57)【要約】【課題】  操作キーの照明、着信インジケータ、充電ランプ、懐中電灯等の機能を一つの光源で行うことにより、小型で多機能な携帯端末を提供する。【解決手段】  筐体１１Ａに設けられている操作キー１４を照明２０によって照らすことができるので、暗いところでも携帯端末１０Ａを使用することができる。また、従来のように操作キー１４を内側から照らす光源を省略することができ、部品点数を減少させて携帯端末１０Ａの薄型化を図ることが可能になるとともに、照明２０は筐体１１Ａに直接設けられているので、小型化を図ることが可能になる。また、懐中電灯としての使用も可能である。なお、照明２０の光源としてはＬＥＤやランプを用いることができる。【選択図】  図１
2006129168.tif 000002
【特許請求の範囲】
【請求項１】
筐体に設けられて、少なくとも前記筐体に設けられている操作キーを外側から照らすことができる照明を有する携帯端末。
【請求項２】
前記筐体が相対的に移動可能に連結された上下筐体から構成され、前記上下筐体の伸長時に前記照明が点灯可能である請求項１記載の携帯端末。
【請求項３】
前記上筐体に前記照明を設け、前記照明が前記下筐体に設けられている前記操作キーを照らす請求項１または請求項２に記載の携帯端末。
【請求項４】
前記筐体が相対的に移動可能に連結された上下筐体から構成され、前記上下筐体が閉じた状態で照明が点灯可能である請求項１ないし請求項３のいずれかに記載の携帯端末。
【請求項５】
前記上下筐体が、スライド式に連結されていることを特徴とする請求項１ないし請求項４のいずれかに記載の携帯端末。
【請求項６】
前記上下筐体が、回転式に連結されていることを特徴とする請求項１ないし請求項４のいずれかに記載の携帯端末。
【発明の詳細な説明】
【技術分野】
【０００１】
本発明は、操作キーおよび外部を照らす照明機能を具備した携帯端末に関するものである。
【背景技術】
【０００２】
近年、携帯電話機は著しく発達しており、時間的制限や場所的な制限がないために、夜の時間帯や暗い場所でも使用されている。
そのため、携帯電話機には操作キー等を照らす光源や、着信インジケータとしての光源や、その他にライトとして使用するための光源等が設けられており、多機能な携帯電話機の小型化を図る際に問題となっている。このため、多面的な照明機能を有する携帯電話機が提案されている（例えば特許文献１参照）。
【０００３】
すなわち、図８に示すように、この携帯電話機１００では、筐体１０１から伸縮自在の移動バー１０２を設け、この移動バー１０２先端に筐体１０１内部に装備されているバッテリーにより照射可能な電球１０３を取付けている。従って、移動バー１０２を移動させることにより、筐体１０１に設けられている操作キー１０４等の所望の方向を照射することができるようになっている。
【特許文献１】特開２００２−３２５１２１号公報（図６）
【発明の開示】
【発明が解決しようとする課題】
【０００４】
しかしながら、前述した特許文献１の携帯電話機１００においては、筐体１０１から伸びる移動バー１０２の先端に電球１０３を取付けているので、常時移動バー１０２を伸ばした状態では携帯に邪魔になるという問題がある。
【０００５】
本発明は、従来の問題を解決するためになされたもので、操作キーの照明、着信インジケータ、懐中電灯等の機能を一つの光源で行うことにより、小型で多機能な携帯端末を提供することを目的とする。
【課題を解決するための手段】
【０００６】
本発明の携帯端末は、筐体に設けられて、少なくとも前記筐体に設けられている操作キーを外側から照らすことができる照明を有する構成を有している。
【０００７】
この構成により、筐体に設けられている操作キーを外側から照明によって照らすことができるので、暗いところでも携帯端末を使用することができる。また、従来のように操作キーの間に複数あった内側から照らす光源を省略することができ、部品点数を減少させて軽量化とコストダウンとを図ることが可能になるとともに、光源を省略した空間を使うことで携帯端末の薄型化を図ることが可能になり、更に照明は筐体に直接設けられているので、小型化を図ることが可能になる。また、懐中電灯としての使用も可能である。なお、照明としてはＬＥＤやランプ等を用いることができる。
【０００８】
また、本発明にかかる携帯端末は、前記筐体が相対的に移動可能に連結された上下筐体から構成され、前記上下筐体の伸長時に前記照明が点灯可能である構成を有している。
【０００９】
この構成により、上下筐体を伸長して使用する際には、照明が点灯可能となっているので、暗い場所で使用するときでも操作キーを照らすことができる。
【００１０】
また、本発明にかかる携帯端末は、前記上筐体に前記照明を設け、前記照明が前記下筐体に設けられている前記キーを照らす構成を有している。
【００１１】
この構成により、上筐体に設けられている照明が下筐体に設けられている操作キーを照らすので、暗いところでも操作キーを操作することができる。
このため、従来のように操作キーの間に複数あった内側から照らす光源を省略することができ、部品点数を減少させて軽量化とコストダウンとを図ることが可能になるとともに、光源を省略した空間を使うことで、携帯端末の薄型化を図ることが可能になる。
【００１２】
さらに、本発明にかかる携帯端末は、前記筐体が相対的に移動可能に連結された上下筐体から構成され、前記上下筐体が閉じた状態で照明が点灯可能である構成を有している。
【００１３】
この構成により、１個の光源で、上下筐体が閉じた状態でも照明が点灯可能なので、メールや通話等を受信した場合の受信インジケータや充電中の充電ランプとして点灯させたり、携帯端末としての使用ではなく懐中電灯としての使用を行うことができるので、部品点数を減少させて軽量化とコストダウンとを図ることが可能になるとともに、光源を省略した空間を使うことで、携帯端末の薄型化を図ることが可能になる。
【００１４】
さらに、本発明にかかる携帯端末は、前記上下筐体が、スライド式に連結された構成を有している。
【００１５】
この構成により、上下筐体がスライドにより伸長した際に、照明を点灯可能として操作キーの操作を容易にしたり、メールや通話等を受信した場合の受信インジケータや充電中の充電ランプとして点灯させたり、携帯端末としての使用ではなく懐中電灯としての使用を行うことができる。
【００１６】
さらに、本発明にかかる携帯端末は、前記上下筐体が、回転式に連結された構成を有している。
【００１７】
この構成により、上下筐体を相対的に回転させて伸長した際に、照明を点灯可能として操作キーの操作を容易にしたり、メールや通話等を受信した場合の受信インジケータや充電中の充電ランプとして点灯させたり、携帯端末としての使用ではなく懐中電灯としての使用を行うことができる。
【発明の効果】
【００１８】
本発明は、少なくとも筐体に設けられている操作キーを外側から照らすことができる照明を筐体に設けることにより、暗いところでも携帯端末を使用することができる。また、従来のように操作キーを内側から照らす光源を省略することができ、部品点数を減少させて携帯端末の軽量化とコストダウンを図ることが可能になるとともに、光源を省略した空間を使うことで携帯端末の薄型化ができ、且つ照明は筐体に直接設けられているので、小型化を図ることが可能になる。さらに、懐中電灯としての使用も可能であるという効果を有する多機能な携帯端末を提供することができるものである。
【発明を実施するための最良の形態】
【００１９】
以下、本発明の第１実施形態の携帯端末について、図面を用いて説明する。
図１は本発明の第１実施形態の携帯端末であるスライド式携帯電話機の伸長時を示す斜視図、図２は閉じた状態のスライド式携帯電話機を示す斜視図である。
図１において、携帯端末としてのスライド式携帯電話機１０Ａは、筐体１１に設けられて、少なくとも筐体１３Ａに設けられている操作キー１４を外側から照らすことができる照明２０を有している。筐体１１Ａは上筐体１２Ａと下筐体１３Ａとから構成されており、上筐体１２Ａに照明２０を設け、照明２０が下筐体１３Ａに設けられている操作キー１４を照らすようになっている。照明２０は、上筐体１２Ａの先端面、すなわち上筐体１２Ａをスライドして伸長したときに下筐体１３Ａの操作キー１４を向く側になる端面に設けられている。なお、照明２０として、ＬＥＤまたはランプを用いることができる。
【００２０】
上筐体１２Ａと下筐体１３Ａとは、相対的にスライドして移動可能に連結されており、上下筐体１２Ａ、１３Ａをスライドさせて下筐体１３Ａに設けられている操作キー２０を操作可能に露出した伸長時には照明２０が点灯可能になるようになっている。照明２０は、上下筐体１２Ａ、１３Ａをスライドさせることにより自動的に点灯するようにしてもよいが、スライドさせた伸長時にのみにオンとなり得るスイッチを設けておき、スイッチの操作により照明２０を点灯させるようにしてもよい。
なお、図２に示すように、上下筐体１２Ａ、１３Ａが閉じた状態でもスイッチの操作により照明２０が点灯するようにするのが望ましい。また、照明２０は、輝度、色、点灯時間等を使用者が任意に設定できるようにするのが望ましい。更に、図１から図２の状態になる閉じ状態のとき、照明２０は自動的に消灯するのが望ましい。
【００２１】
以上のように構成された携帯電話機１０Ａについて、その動作を説明する。
まず、携帯電話機１０Ａを用いて通話やメールをする際には、上下の筐体１２Ａ、１３Ａをスライドさせて伸長させ、下筐体１３Ａの設けられている操作キー１４を露出させる。このとき、上筐体１２Ａの先端面に設けられている照明２０が点灯可能となるので、操作キー１４を照らして、ダイヤルあるいはメール等を行う。
また、上下筐体１２Ａ、１３Ａを閉じた状態、または閉じた状態で通話やメール等を受信すると、照明２０を例えば点滅させて受信インジケータとして作用させ、充電を行う際には充電ランプとして作用させる。一般的に充電中の照明は赤でキーの照明としては不向きであるため、充電中にキー操作を行う場合は自動的にキー操作用の照明に切り替えるようにして利用する。切り替え方法としては、任意のキーを押すと照明が切り替わる方法または、特定のキーによる切り替え等利用者が任意に選択できるものとする。
さらに、閉じた状態で、照明２０を点灯することにより、懐中電灯として利用する。
【００２２】
このような携帯電話機１０Ａによれば、少なくとも下筐体１３Ａに設けられている操作キー２０を外側から照らすことができる照明２０を上筐体１２Ａに設けることにより、暗いところでも使用することができる。また、従来のように操作キー２０を内側から照らす光源を省略することができ、部品点数を減少させて軽量化とコストダウンを図ることが可能になるとともに、光源を省略した空間を使うことで携帯端末の薄型化を図ることが可能になるとともに、照明２０は上筐体１２Ａに直接設けられているので、小型化を図ることが可能になる。さらに、懐中電灯としての使用も可能である。
【００２３】
なお、図３には、スライド式の携帯電話機１０Ｂの下筐体１３Ｂに照明２０を設ける場合の構成が示されている。
すなわち、下筐体１３Ｂの上面端部に、例えば上筐体１２Ｂの高さと略等しい突出部１６が設けられており、この突出部１６に照明２０が設けられている。照明２０は、突出部１６に回転可能に取付けられており、下筐体１３Ｂ側に向ければ下筐体１３Ｂに設けられている操作キー１４を照らすことができる。一方、図３（Ｂ）に示すように、照明２０を外側に向ければ、上下筐体１２Ｂ、１３Ｂを閉じた状態で懐中電灯として使用することができる。
また、本実施形態においても、照明２０はその向きに関係なく、前記スライド構造で説明したように、受信インジケータや充電ランプとして用いることができ、その照明角度は任意に設定できるようにするのが望ましい。
【００２４】
次に、本発明の第２実施形態の携帯端末について、図面を用いて説明する。
図４は本発明の第２実施形態の携帯端末である回転式携帯電話機の伸長時を示す斜視図、図５は閉じた状態の回転式携帯電話機を示す斜視図である。なお、前述した第１の実施形態にかかるスライド式携帯電話機と共通する部位には同じ符号を付して、重複する説明を省略することとする。
【００２５】
図４に示すように、この携帯電話機１０Ｃでは、上筐体１２Ｃと下筐体１３Ｃとから筐体１１Ｃが構成されている。上下両筐体１２Ｃ、１３Ｃは、回転軸１５を中心にして相対的に回転可能に連結されており、上下筐体１２Ｃ、１３Ｃを相対的に回転させて下筐体１３Ｃに設けられている操作キー１４を操作可能に露出した伸長時には照明２０が点灯可能になっている。照明２０は、上筐体１２Ｃの回転軸１５側の端面に設けられており、上筐体１２Ｃを回転させると照明２０は下筐体１３Ｃ側に向いて下筐体１３Ｃに設けられている操作キー１４を照らす。
【００２６】
なお、照明２０は、上下筐体１２Ｃ、１３Ｃを回転させることにより自動的に点灯するようにしてもよいが、回転させた伸長時にのみにオンとなり得るスイッチを設けておき、スイッチの操作により照明２０を点灯させるようにしてもよい。
なお、図５に示すように、上下筐体１２Ｃ、１３Ｃが閉じた状態でもスイッチの操作により照明２０が点灯するようにするのが望ましい。
【００２７】
このような回転式携帯電話機１０Ｃによれば、前述した第１の実施形態にかかるスライド式携帯電話機１０Ａと同様の効果を有し、部品点数を減少させて携帯端末の薄型化を図ることが可能になるとともに、小型化を図ることが可能になる。
【００２８】
また、図６に示す回転式携帯電話機１０Ｄは、回転式携帯電話機１０Ｃの上筐体１２Ｃにおける表示部および操作部の配置が逆転したものである。
従って、この回転式携帯電話機１０Ｄは、基本的に回転式携帯電話機１０Ｃと同様な作用効果が得られる。
【００２９】
さらに、図７に示す折り畳み式携帯電話機１０Ｅは、上筐体１２Ｅおよび下筐体１３Ｅ間のヒンジ部に照明２０が設けられている。
そして、図７（Ａ）に示すように、上筐体１２Ｅおよび下筐体１３Ｅが積層するように折り畳まれた状態では、照明２０が外方を向いて懐中電灯として用いることができる。一方、図７（Ｂ）に示すように、上筐体１２Ｅおよび下筐体１３Ｅがヒンジ部を介して互いに回動された状態では、照明２０が下筐体１３Ｅの操作キー１４を照らす。
なお、照明２０は、上筐体１２Ｅおよび下筐体１３Ｅの回動状態に関わらず、ヒンジ部内において独立して回動可能に設けてもよい。
【００３０】
なお、以上の説明では、携帯端末としてスライド式携帯電話機１０Ａ、１０Ｂ、回転式携帯電話機１０Ｃ、１０Ｄおよび折り畳み式携帯電話機１０Ｅについて説明したが、その他、ストレート形状の携帯電話機についても同様に適用できる。この場合には、実際には操作キー１４が常に露出しているので常に稼動状態にあるため伸長時であるといえ、照明２０は常に点灯可能となっている。
【産業上の利用可能性】
【００３１】
以上のように、本発明に係る携帯端末は、少なくとも筐体に設けられている操作キーを外側から照らすことができる照明を筐体に設けることにより、暗いところでも携帯端末を使用することができる。また、従来のように操作キーを内側から照らす光源を省略することができ、部品点数を減少させて携帯端末の薄型化を図ることが可能になるとともに、照明は筐体に直接設けられているので、小型化を図ることが可能になる。さらに、懐中電灯としての使用も可能であるという効果を有し、操作キーおよび外部を照らす照明機能を具備した携帯端末等として有用である。
【図面の簡単な説明】
【００３２】
【図１】本発明の第１実施形態における携帯端末であるスライド式携帯電話機の伸長時を示す斜視図である。
【図２】スライド式携帯電話機の閉じた状態の携帯電話機を示す斜視図である。
【図３】スライド式の携帯電話機の下筐体に照明を設けた場合であり、（Ａ）は伸長時を示す側面図、（Ｂ）は閉じた状態を示す側面図である。
【図４】本発明の第２実施形態における携帯端末である回転式携帯電話機の伸長時を示す斜視図である。
【図５】回転式携帯電話機の閉じた状態の携帯電話機を示す斜視図である。
【図６】回転式携帯電話機の他の実施形態を示し、（Ａ）は閉じた状態を示す斜視図、（Ｂ）は伸長時を示す斜視図である。
【図７】折り畳み式携帯電話機の実施形態を示示し、（Ａ）は閉じた状態を示す斜視図、（Ｂ）は伸長時を示す斜視図である。
【図８】従来の携帯端末の側面図である。
【符号の説明】
【００３３】
１０  携帯端末
１１  筐体
１２  上筐体
１３  下筐体
１４  操作キー
２０  照明
【図１】
2006129168.tif 000003
【図２】
2006129168.tif 000004
【図３】
2006129168.tif 000005
【図４】
2006129168.tif 000006
【図５】
2006129168.tif 000007
【図６】
2006129168.tif 000008
【図７】
2006129168.tif 000009
【図８】
2006129168.tif 000010